(57)【要約】【解決手段】パルス式ガス放電ランプにおけるフラッシュ放電応答の信頼性を高めるための装置および方法についてのいくつかの実施形態が開示されている。一実施形態は、共通の電源に並列に接続された陰極および陽極を有する二つのガス放電ランプを備えたシステムである。第１のランプからの放電が第２のランプにおけるガス残留部の電離を低減するように、且つ逆の場合も同じとなるように、二つのランプの放電が交互にトリガー（誘発）される。【選択図】図１
2010515206.tif 000002
【特許請求の範囲】
【請求項１】
電源に接続された第１のパルス式ガス放電ランプと、
前記第１のパルス式ガス放電ランプに対して並列で、且つ前記電源に接続された第２のパルス式ガス放電ランプと、
前記第１および第２のガス放電ランプの放電を交互に誘発するための制御システムと
を備え、
前記制御システムは、少なくとも約１０Ｈｚのパルスレートにて、且つ、前記パルスレートとエネルギーレベルとの積が少なくとも約１０００となるようなエネルギーレベル（単位はジュール）にて、前記第１および第２のガス放電ランプの放電を交互に誘発する、ことを特徴とするパルス式ランプシステム。
【請求項２】
前記第１および第２のガス放電ランプは、少なくとも約７５Ｈｚのパルスレートで放電される、請求項１に記載のパルス式ランプシステム。
【請求項３】
前記第１および第２のガス放電ランプは、少なくとも約８５．６Ｈｚのパルスレートで放電される、請求項１に記載のパルス式ランプシステム。
【請求項４】
前記第１および第２のガス放電ランプは、少なくとも約１００Ｈｚのパルスレートで放電される、請求項１に記載のパルス式ランプシステム。
【請求項５】
前記第１および第２のガス放電ランプは、少なくとも約１１２．４５Ｈｚのパルスレートで放電される、請求項１に記載のパルス式ランプシステム。
【請求項６】
前記第１および第２のガス放電ランプは、少なくとも約１３．５ジュールのエネルギーレベルで放電される、請求項１に記載のパルス式ランプシステム。
【請求項７】
前記第１および第２のガス放電ランプは、少なくとも約１５．３６ジュールのエネルギーレベルで放電される、請求項１に記載のパルス式ランプシステム。
【請求項８】
前記第１および第２のガス放電ランプは、少なくとも約１９．４４ジュールのエネルギーレベルで放電される、請求項１に記載のパルス式ランプシステム。
【請求項９】
電源に接続された第１のパルス式ガス放電ランプと、
前記第１のパルス式ガス放電ランプに対して並列で、且つ前記電源に接続された第２のパルス式ガス放電ランプと、
前記第１および第２のガス放電ランプの放電を交互に誘発するための制御システムと
を備え、
前記制御システムは、少なくとも約１０ジュールのエネルギーレベルにて、且つ、前記エネルギーレベルとパルスレートとの積が少なくとも約１０００となるようなパルスレート（単位はＨｚ）にて、前記第１および第２のガス放電ランプの放電を交互に誘発する、ことを特徴とするパルス式ランプシステム。
【請求項１０】
前記第１および第２のガス放電ランプは、少なくとも約１３．５ジュールのエネルギーレベルで放電される、請求項９に記載のパルス式ランプシステム。
【請求項１１】
前記第１および第２のガス放電ランプは、少なくとも約１５．３６ジュールのエネルギーレベルで放電される、請求項９に記載のパルス式ランプシステム。
【請求項１２】
前記第１および第２のガス放電ランプは、少なくとも約１９．４４ジュールのエネルギーレベルで放電される、請求項９に記載のパルス式ランプシステム。
【請求項１３】
前記第１および第２のガス放電ランプは、少なくとも約７５Ｈｚのパルスレートで放電される、請求項９に記載のパルス式ランプシステム。
【請求項１４】
前記第１および第２のガス放電ランプは、少なくとも約１９．４４ジュールのエネルギーレベルで放電される、請求項１３に記載のパルス式ランプシステム。
【請求項１５】
前記第１および第２のガス放電ランプは、少なくとも約８５．６Ｈｚのパルスレートで放電される、請求項９に記載のパルス式ランプシステム。
【請求項１６】
前記第１および第２のガス放電ランプは、少なくとも約１５．３６ジュールのエネルギーレベルで放電される、請求項１５に記載のパルス式ランプシステム。
【請求項１７】
前記第１および第２のガス放電ランプは、少なくとも約１００Ｈｚのパルスレートで放電される、請求項９に記載のパルス式ランプシステム。
【請求項１８】
前記第１および第２のガス放電ランプは、少なくとも約１９．４４ジュールのエネルギーレベルで放電される、請求項１７に記載のパルス式ランプシステム。
【請求項１９】
前記第１および第２のガス放電ランプは、少なくとも約１１２．４５Ｈｚのパルスレートで放電される、請求項９に記載のパルス式ランプシステム。
【請求項２０】
前記第１および第２のガス放電ランプは、少なくとも約１５．３６ジュールのエネルギーレベルで放電される、請求項１９に記載のパルス式ランプシステム。
【請求項２１】
電源に接続された第１のパルス式ガス放電ランプと、
前記第１のパルス式ガス放電ランプに対して並列で、且つ前記電源に接続された第２のパルス式ガス放電ランプと、
前記第１および第２のガス放電ランプの放電を交互に誘発するための制御システムと
を備え、
前記制御システムは、パルスレートとエネルギーレベルとの積が少なくとも約１０００となるような当該パルスレート（単位はＨｚ）且つ当該エネルギーレベル（単位はジュール）にて、前記第１および第２のガス放電ランプの放電を交互に誘発する、ことを特徴とするパルス式ランプシステム。
【請求項２２】
前記パルスレート（単位はＨｚ）と前記エネルギーレベル（単位はジュール）との積が少なくとも約１０１２である、請求項２１に記載のパルス式ランプシステム。
【請求項２３】
前記パルスレート（単位はＨｚ）と前記エネルギーレベル（単位はジュール）との積が少なくとも約１１５２である、請求項２１に記載のパルス式ランプシステム。
【請求項２４】
前記パルスレート（単位はＨｚ）と前記エネルギーレベル（単位はジュール）との積が少なくとも約１３１４である、請求項２１に記載のパルス式ランプシステム。
【請求項２５】
前記パルスレート（単位はＨｚ）と前記エネルギーレベル（単位はジュール）との積が少なくとも約１４５８である、請求項２１に記載のパルス式ランプシステム。
【請求項２６】
前記パルスレート（単位はＨｚ）と前記エネルギーレベル（単位はジュール）との積が少なくとも約１７２７である、請求項２１に記載のパルス式ランプシステム。
【請求項２７】
前記パルスレート（単位はＨｚ）と前記エネルギーレベル（単位はジュール）との積が少なくとも約１９４４である、請求項２１に記載のパルス式ランプシステム。
【請求項２８】
電源に接続された第１のパルス式ガス放電ランプと、
前記第１のパルス式ガス放電ランプに対して並列で、且つ前記電源に接続された第２のパルス式ガス放電ランプと、
前記第１および第２のガス放電ランプの放電を交互に誘発するための制御システムと
を備え、
前記制御システムは、前記第１および第２のガス放電ランプのうちの少なくとも一方に対し、当該ランプが単独で作動した場合には不安定動作をもたらすような個別のパルスレート（単位はＨｚ）且つ個別のエネルギーレベル（単位はジュール）にて、前記第１および第２のガス放電ランプの放電を交互に誘発する、ことを特徴とするパルス式ランプシステム。
【請求項２９】
前記不安定動作は、自己放電、ホールドオーバー状態、およびランプの臨界的な動作状態のうちの少なくとも一つである、請求項２８に記載のパルス式ランプシステム。
【発明の詳細な説明】
【技術分野】
【０００１】
本発明は概して、キセノン閃光ランプのようなパルス式ガス放電ランプの放電（放電のための点灯）に関するものである。
【背景技術】
【０００２】
ガス放電ランプは、透明な電灯管内に、キセノンまたはクリプトンのような希ガスを含んでいる。ガスは、大気圧以上または以下のいずれの圧力であってもよい。ランプは、陰極および陽極を有しており、これらを介して電流が供給され電気アークが発生する。ガスが電極間で電気エネルギーを伝達するためには、ガスはその電気抵抗を減じるべくイオン化（電離）される。ガスが一旦イオン化されると、電気エネルギーがガスに伝わり、ガスの分子を励起する。分子が非励起のエネルギー状態に戻るとき、それらは光エネルギーを放出する。
【０００３】
パルス式ガス放電ランプは、連続的な光の放出ではなく、むしろ一連の光パルスがランプから放出されるように作動する。このタイプのランプでは、陰極および陽極に提供される電流は、連続的に供給されるというよりもむしろ、ショートバースト（短周期での突発的放出）で解き放たれる。このことが、一つの放電、即ち光の「フラッシュ（閃光）」という結果を生む。
【０００４】
典型的には、ガスをイオン化するためには、電灯管の外周面を包むワイヤメッシュのような電灯管の外周面の点灯電極に、高電圧パルスが印加される。電圧がワイヤメッシュに印加されると、電灯管内のガスがイオン化され、ガスは主電極を電気的に導通（即ち通電）させる。このイオン化は、インジェクショントリガー法でも達成できる。インジェクショントリガー法では、１以上のランプ電極を介しランプに直接的に電圧を印加する。
【０００５】
ガス放電ランプにより放出されるＵＶ光（紫外線光）は、ＵＶ硬化または殺菌衛生、浄化（汚染除去）および殺菌消毒などを含む多くの用途に使用される。例えば、ガス放電ランプは、処理対象のアイテム（物品）をランプ越しに移動させるコンベアに近接配置される。処理対象のアイテムがランプを通過するとき、当該アイテムをＵＶ照射すべく当該ランプは放電される。高い生産性を達成するために、しばしばコンベアラインには高速度が求められる。このことは、翻れば、パルス式ガス放電ランプが高いパルスレート（高パルス速度）で作動することを要求する。
【発明の概要】
【課題を解決するための手段】
【０００６】
パルス式ガス放電ランプが放電されるたびに、ランプが再び放電される前、ランプ内でイオンが消失するための遅延時間が要求される。パルス放電あたりのエネルギーが高くなるほど、ランプでのイオン化消失にかかる時間が長くなる。以下で更に詳細に説明するように、あまりに高いパルスレートで、且つその与えられたエネルギーレベルにてランプをトリガー（誘発又は放電）しようとすることは、安定したランプ動作に対する種々の問題をもたらし得る。これらの問題としては、ランプの自己放電、ホールドオーバー(hold-over)（滞留）、及び／又は、臨界的な動作状態（即ち、一つのフラッシュ放電の発生ではなくむしろ持続した低レベル電流アークがランプを流れるという動作状態）に至ることがあげられる。
【０００７】
一つの態様において、本発明はパルス式ランプシステムであり、そのパルス式ランプシステムは、電源に接続された第１のパルス式ガス放電ランプと、前記第１のパルス式ガス放電ランプに対して並列で、且つ前記電源に接続された第２のパルス式ガス放電ランプと、制御システムとを備える。この制御システムは、個別に少なくとも約１０Ｈｚのパルスレートにて、且つ、前記パルスレートとエネルギーレベルとの積が少なくとも約１０００となるようなエネルギーレベル（単位はジュール）にて、前記第１および第２のガス放電ランプの放電を交互にトリガー（誘発）する。
【０００８】
別の態様において、本発明はパルス式ランプシステムであり、そのパルス式ランプシステムは、電源に接続された第１のパルス式ガス放電ランプと、前記第１のパルス式ガス放電ランプに対して並列で、且つ前記電源に接続された第２のパルス式ガス放電ランプと、制御システムとを備える。この制御システムは、個別に少なくとも約１０ジュールのエネルギーレベルにて、且つ、前記エネルギーレベルとパルスレートとの積が少なくとも約１０００となるようなパルスレート（単位はＨｚ）にて、前記第１および第２のガス放電ランプの放電を交互にトリガー（誘発）する。
【０００９】
本発明の更なる態様において、パルス式ランプシステムは、電源に接続された第１のパルス式ガス放電ランプと、前記第１のパルス式ガス放電ランプに対して並列で、且つ前記電源に接続された第２のパルス式ガス放電ランプと、制御システムとを備える。この制御システムは、パルスレートとエネルギーレベルとの積が少なくとも約１０００となるような当該パルスレート（単位はＨｚ）且つ当該エネルギーレベル（単位はジュール）にて、前記第１および第２のガス放電ランプの放電を交互にトリガー（誘発）する。
【００１０】
パルス式ガス放電ランプにおけるフラッシュ放電応答の信頼性を高めるための装置および方法についての各種実施形態が開示されている。一実施形態は、共通の電源に並列に接続された、陰極および陽極を有する二つのガス放電ランプを具備するシステムである。各ランプが交互放電シーケンスなしで確実に達成され得る場合よりも高い、個別のパルスレートおよび個別のエネルギーレベルで確実に放電されるように、前記二つのランプは交互にトリガー（放電誘発）される。
【００１１】
別の実施形態は、３つ以上のガス放電ランプを有するシステムである。ランプの陰極および陽極は、共通の電源に対し並列に接続されている。各ランプが交互放電シーケンスなしで確実に達成され得る場合よりも高い個別のパルスレートおよび個別のエネルギーレベルで確実に放電されるように、前記３つ以上のランプは交互にトリガー（放電誘発）される。
【００１２】
本発明の様々な実施形態をもっと良く理解するために、添付の図面に関する以下の説明を参照されたし。
【図面の簡単な説明】
【００１３】
【図１】図１は、本発明の一実施形態に従う装置の図である。
【図２】図２は、二つのパルス式ガス放電ランプに対応する、二つの交互配置されたパルス放電信号の図である。
【図３】図３は、単一ランプのトリガー（誘発）シーケンスの図である。
【図４】図４は、交互配置デュアルランプのトリガー（誘発）シーケンスの図である。
【図５】図５は、単一ランプのトリガー（誘発）シーケンスの図である。
【図６】図６は、交互配置デュアルランプのトリガー（誘発）シーケンスの図である。
【図７】図７は、交互配置デュアルランプのトリガー（誘発）シーケンスの図である。
【図８】図８は、交互配置デュアルランプのトリガー（誘発）シーケンスの図である。
【発明を実施するための形態】
【００１４】
図１は、パルス式ガス放電ランプシステム１００の図である。システム１００は、コンベア１０７に近接した二つのガス放電ランプ１０５ａおよび１０５ｂを備えている。コンベア１０７は、ランプの光に晒されるべき物品を含んでいる。少なくとも一実施形態では、ランプ１０５ａ，１０５ｂは実質的に同じであり、共にキセノン閃光ランプである。ランプ１０５ａ，１０５ｂは、電力貯蔵装置１１０に対して並列に接続されている。電力貯蔵装置１１０は、電力供給装置１１５によって発生された電気エネルギーを蓄えるものであり、電気エネルギーを蓄えるための１以上のコンデンサを内蔵している。電力貯蔵装置１１０は、ランプ１０５ａ，１０５ｂに必要な電気エネルギーを供給し、点灯パルス（放電点灯パルス）によりトリガー（放電誘発）された際にランプがフラッシュ放電するのを可能ならしめる。
【００１５】
ランプ１０５ａおよび１０５ｂはそれぞれ分離した点灯電極１２０ａ及び１２０ｂを備え、これらの点灯電極はランプ管の一部に巻き付けられたワイヤで形成され得るものである。少なくとも一実施形態では、点灯電極１２０ａ，１２０ｂは実質的に同じである。点灯電極１２０ａを形成するワイヤは、ランプ管の一端から他端までにわたるように、ランプ管の一部の外周に巻かれている。他の実施形態では、ランプの陰極または陽極が、点灯電極としての役目を果たしてもよい。また更に別の実施形態では、点灯電極はランプ内に配置されてもよい。
【００１６】
点灯電極１２０ａ，１２０ｂは、別々にパルスコントローラ１２５に接続されている。ランプ１０５ａを放電させるために、電力貯蔵装置１１０によってランプ１０５ａの陰極と陽極との間に電圧（電位）がかけられる。この電圧は、ガスがいったんイオン化されるやランプ１０５ａ内のガスを介して電気アークを生ずるように十分高くなければならない。パルスコントローラ１２５は、２０ｋＶから３０ｋＶの範囲で単パルスの形で電圧信号を発生する。その電圧信号は点灯電極１２０ａに印加され、ガスをイオン化（電離）する。イオン化時、ガスの導電性が増大して、ランプ１０５ａの陰極と陽極との間にアークを発生させ、これにより、閃光（フラッシュ）が生まれる。ランプ１０５ｂもほぼ同様の方法で作動する。
【００１７】
電力貯蔵装置１１０、電力供給装置１１５およびパルスコントローラ１２５は、ランプ制御回路１３０内に存在し得る。代替例（別例）では、個々の電力および制御のコンポーネントは、別々の装置であってもよい。
【００１８】
既に述べたように、ランプ動作の問題は特定の動作領域で起きる。その領域は、作動電圧、ランプ圧力、パルスエネルギー、ランプ温度、および、製造以来ランプが未使用のまま経過した時間の相関関係で決まる。しかしながら、一般に、ランプ温度とパルスエネルギーは、動作の信頼性について最も重大な影響力を持つと考えられ、作動温度とパルスエネルギーによって問題の領域を表現することができる。ランプが加温されるにつれて、ランプが動作上の問題を示すエネルギーレベルが増大する。こうして、ランプ温度が、対応する最小温度よりも高く維持されるならば、ランプは相対的に高いエネルギーレベルで作動する。
【００１９】
しかしながら、あまりに高い温度でランプを作動させることは、上述のように、ランプをホールドオーバー状態に到らせる。この状態は、ランプの動作寿命を損なうか、動作寿命をかなり短縮する。加えて、ランプパルスの周波数は、ランプの作動温度にかなりの影響を与える。こうして、ランプは所望の最小温度に到達しないかも知れない、というのも、ランプは特定のランプ用途により課された最大周波数の制限に影響されるからである。このような場合、ランプパルスは、動作上の問題を避けるべく所定のエネルギーレベル未満に維持されなければならない。
【００２０】
例えば、通常圧のキセノンランプは、動作上の問題を回避するために、毎秒１００パルス（Ｈｚ）で、パルスあたり１０ジュールのエネルギーレベル以下で使用可能である。しかしながら、低圧ランプでは、このような状況下において動作上の問題が増える。同様に、通常圧のキセノンランプは、毎秒１０パルスで、且つパルスあたり２０７ジュールのエネルギーレベル以下で安定的に作動させることができる。しかし、またしても低圧ランプでは、この領域での安定的作動には難しさがある。
【００２１】
ランプの自己放電、ホールドオーバー、および／または、ランプの臨界的な動作状態に関する問題は、ランプ放電後におけるランプ内ガスに残留する部分的なイオン化（電離）によって引き起こされる、と考えられる。図２は、本発明の一実施形態に従う図１のランプ１０５ａおよび１０５ｂの点灯信号の交互パターンを示す。ランプ１０５ａおよび１０５ｂは、単に交互方式で放電されるのではなく、各ランプは、他のランプ内に残余の部分イオン化が存在する間にトリガー（放電誘発）される。こうして、交互トリガーパルスは、他のランプが放電した後の所定時間内に発生するように時間調節される。
【００２２】
第１のランプ１０５ａに並列に第２のランプ１０５ｂを加えることによって、ランプ１０５ａ内に残留する部分的なイオン化（電離）がランプ１０５ｂの放電によって低減され、又、その逆も同様である、と考えられる。ランプの放電時に起こるランプ１０５ｂの陰極および陽極での突然の電圧降下は、ランプ１０５ａでの残留イオン化ガスのいくらかをグランド状態（接地レベル）に復帰させる、と考えられる。こうして、相対的に高いランプエネルギーレベル且つ相対的に高いパルスレートで動作するときの、各ランプにおける残留イオン化が最も問題になると考えられるときには、本発明のいくつかの実施形態は特に有用である。このようにランプ１０５ａおよび１０５ｂの放電を交互にすることは、両ランプのうちの一つが単独で作動する場合よりも高いパルスレートで各ランプが確実に作動することを許容する。
【００２３】
図３は、長さ２０インチ、内径(bore)７ｍｍのキセノン閃光ランプの放電シーケンスを示す。ランプ電圧信号３００は、ランプに印加された電圧を測定したものである。トリガー電圧信号３０５は、ランプの点灯電極に印加される電圧を測定したものである。通常動作中、トリガー電圧信号３０５の立ち上がりエッジでランプは放電する。ランプ電圧信号３００は、（３１５で示す）放電時に低下する。
【００２４】
しかしながら、３２００ボルトにてパルスあたり１５．３６ジュールのエネルギー状態で且つ毎秒７５パルスのパルスレートで作動されるとき、ランプは突拍子も無い（即ち常軌を逸した）振る舞いをする。この突拍子も無い振る舞いの一例は、トリガー電圧信号３０５が始まる前にランプ放電が起きるという自己放電現象(self-triggering)３２０である。しかしながら、図４に示されるように、第１のランプと並列に第２のランプを追加すると共に、上述のように二つのランプのトリガー（放電誘発）を交互に行うことで、毎秒８５．６パルスという更に高いパルスレートでもって同じエネルギーにて、ランプを安定的・信頼的に動作させることができる。ランプ電圧信号４００は、二つのランプが並列接続されていることから両ランプにかかる電圧を測定したものである。ランプ電圧信号４００の極小値４０５は第１のランプに起因するものであり、他方、極小値４１０は第２のランプに起因するものである。それ故、二つのランプを組み合わせたパルスレートは、毎秒約１７１パルスである。実際、毎秒１１２．４５パルスと同等又はそれ以上の個々のランプパルスレートは、このエネルギーレベルにおいて達成され得る。
【００２５】
本発明の実施形態はまた、パルスレートを減じる必要なく、パルスあたりのランプエネルギーを増大させることを可能にする。既に説明したように、パルス放電あたりのエネルギーが高いほど、ランプ内のイオン化が消失する時間が長くなる。図５は、上述した長さ２０インチ、内径(bore)７ｍｍのランプの放電シーケンスを示す。前と同じく、ランプ電圧信号５００はランプにかかる電圧を測定したものである。トリガー電圧信号５０５はランプの点灯電極に印加される電圧を測定したものである。このランプは、３０００ボルトにてパルスあたり１３．５ジュールのエネルギー状態で且つ毎秒７５パルスのパルスレートで作動されるとき、突拍子も無い（即ち常軌を逸した）振る舞いをする。前と同じように、自己放電現象(self-triggering)５１０が示されている。
しかしながら、図６が示すように、第１のランプと並列に第２のランプを追加すると共に、二つのランプのトリガー（放電誘発）を交互に行うことで、パルスあたり１９．４４ジュールのエネルギーでもって、このパルスレート（即ちランプあたり毎秒７５パルス、組合せ時毎秒１５０パルス）で、ランプを安定的・信頼的に作動させることができる。既に説明したように、ランプ電圧信号６００は、二つのランプが並列接続されていることから両ランプにかかる電圧を測定したものである。ランプ電圧信号６００の極小値６０５は第１のランプに起因するものであり、極小値６１０は第２のランプに起因するものである。
【００２６】
図７および図８は、本発明の実施形態を用いた、あり得る動作領域についての追加例を示す。図７は、３２００ボルトにてパルスあたり１５．３６ジュールのエネルギーレベルで、且つランプあたり毎秒１１２．４５パルスで交互動作する、信頼性の高いデュアルランプを示す。図８は、３６００ボルトにてパルスあたり１９．４４ジュールのエネルギーレベルで、且つランプあたり毎秒１００パルスで交互動作する、信頼性の高いデュアルランプを示す。
【００２７】
本発明の実施形態は、ランプが交互方式でトリガー（放電誘発）される限り、電力貯蔵装置に接続された３つ以上のランプを有することをも含むものである。本発明の実施形態は、多様なシステムにおいて作動するランプにも適用できる。その多様なシステムには、デザインにおいて線状又は螺旋状（ヘリカル及びスパイラル）のランプ形態を持ったもの；加圧空気冷却式又は水冷式の冷却システム；ブロードバンド又は光学フィルタ選択性の波長；クォーツ（水晶）、SUPRASILブランドのクォーツ、又はスペクトル伝達用のサファイアからなるランプハウジングの窓；が含まれる。
【００２８】
わかることであろうが、発明の実施形態及びその詳細は、本発明から逸脱することなく、様々な点において改変され得る。例えば、実施形態はキセノン閃光ランプでの使用を説明しているが、本発明のその他の実施形態は、金属ハロゲン化物ランプ、水銀ランプ、ナトリウムランプ、その他の希ハロゲン化物ベースのランプのような、その他のガス放電ランプでの使用にも適している。ランプは、コンベア上の物品と同じ側に置かれても、前記物品と反対側に置かれてもよい。このように、本願の図面および明細書の説明は例示的なものと見なされるべきであり、制限的又は限定的な意味にとるべきではない。
【符号の説明】
【００２９】
１００  パルス式ガス放電ランプシステム
１０５ａ，１０５ｂ  ガス放電ランプ
１０７  コンベア
１１０  電力貯蔵装置
１１５  電力供給装置
１２０ａ，１２０ｂ  点灯電極
１２５  パルスコントローラ
１３０  ランプ制御回路
【図１】
2010515206.tif 000003
【図２】
2010515206.tif 000004
【図３】
2010515206.tif 000005
【図４】
2010515206.tif 000006
【図５】
2010515206.tif 000007
【図６】
2010515206.tif 000008
【図７】
2010515206.tif 000009
【図８】
2010515206.tif 000010
【国際調査報告】
2010515206.tif 000011